(57)【要約】【課題】本発明は、チェンジリテーナに関し、リテーナ本体の前後方向の長さをより短くして、上金型への配置する場合の設計自由度を増すようにすることが課題である。【解決手段】被加工物を加工するピアスパンチと、前記ピアスパンチを少なくとも孔加工させるために前進させるとともに孔加工させないように前記ピアスパンチが後退するのを許容するセレクターと、前記ピアスパンチと前記セレクターとを支持するリテーナ本体とからなり、前記セレクターが前記リテーナ本体に回転自在に支持された円筒体であるチェンジリテーナとする。【選択図】図１
2007144482.tif 000002
【特許請求の範囲】
【請求項１】
被加工物を加工するピアスパンチと、
前記ピアスパンチを少なくとも孔加工させるために前進させるとともに孔加工させないように前記ピアスパンチが後退するのを許容するセレクターと、
前記ピアスパンチと前記セレクターとを支持するリテーナ本体とからなり、
前記セレクターが前記リテーナ本体に回転自在に支持された円筒体であること、
を特徴とするチェンジリテーナ。
【請求項２】
セレクターは、リテーナ本体に固設されたモータによって円筒体が回転駆動されること、
を特徴とする請求項１に記載のチェンジリテーナ。
【請求項３】
リテーナ本体にピアスパンチが複数個配設され、セレクターには、前記ピアスパンチを選択するセレクト部が複数の対応箇所に設けられていること、
を特徴とする請求項１または２に記載のチェンジリテーナ。
【発明の詳細な説明】
【技術分野】
【０００１】
本発明は、被加工物を順次プレス機械上に載せてプレス加工する際に、孔を開けるピアスパンチを孔の打ち明けパターンに応じて切り替えるパンチ切替装置において、前記ピアスパンチを上下移動自在に支持するチェンジリテーナに関するものである。
【背景技術】
【０００２】
従来、パンチ切替装置において、ピアスパンチを孔開けパターンに応じて上下移動させて、被加工物に孔を開けたり開けなかったりするには、例えば、前記ピアスパンチを一つ若しくは複数個取り付けたチェンジリテーナにおいて、駆動源のエアーシリンダーによりスライドされ前進・後退するスライダーと、該スライダーの先端部の傾斜部にパンチ頭部が係合してスライダー方向に直交する方向に移動され孔開け作用するピアスパンチと、前記スライダーが後退されるときに前記ピアスパンチを強制的に後退させる後退駆動手段とでなるものが知られている（特許文献１参照）。
【０００３】
前記後退駆動手段は、チェンジリテーナから被加工物側へ突出されるピアスパンチを、リテーナ側へ後退させるときに、確実に後退させるようにすべく、コイルスプリングなどの弾性手段に代わって、スライダーの後退移動を利用して揺動するようにした揺動レバー等の強制的後退手段を用いたものである。
【特許文献１】特開２００４−３１４０９１号公報
【発明の開示】
【発明が解決しようとする課題】
【０００４】
しかし、従来のチェンジリテーナでは、ピアスパンチの後退については確実になされていたが、被加工物に開ける孔の数が増えて配置も込み入ってくると、チェンジリテーナを上金型下面に取り付ける位置が制限されるようになり、設計の自由度が狭くなってきている。そこで、前記チェンジリテーナにおいては、駆動源のエアシリンダーとスライダーとの組み合わせで、全体形状が大きくなっており、これを小型化することが益々必要となっている。本発明に係るチェンジリテーナは、このような課題を解決するために提案されたものである。
【課題を解決するための手段】
【０００５】
本発明に係るチェンジリテーナの上記課題を解決して目的を達成するための要旨は、被加工物を加工するピアスパンチと、前記ピアスパンチを少なくとも孔加工させるために前進させるとともに孔加工させないように前記ピアスパンチが後退するのを許容するセレクターと、前記ピアスパンチと前記セレクターとを支持するリテーナ本体とからなり、前記セレクターが前記リテーナ本体に回転自在に支持された円筒体であることである。
【０００６】
前記セレクターは、リテーナ本体に固設されたモータによって円筒体が回転駆動されること、；
さらに、前記リテーナ本体にピアスパンチが複数個配設され、セレクターには、前記ピアスパンチを選択するセレクト部が複数の対応箇所に設けられていること、；
を含むものである。
【発明の効果】
【０００７】
本発明のチェンジリテーナによれば、ピアスパンチの孔開け作用をさせる場合とさせない場合との選択が、回転自在な円筒体のセレクターによって行われる。よって、セレクターの軸線方向の長さを短くすることができて、このチェンジリテーナの小型化となる。チェンジリテーナは、通常、上金型の下面に水平に取り付けられる。この場合に、セレクター円筒体における軸線方向である縦方向の長さを短くすることで、他のチェンジリテーナの配置に余裕ができる。縦方向に直交する横方向の幅は従来とまた、垂直方向の縦方向では、比較的余裕があるので、セレクターを円筒体にして縦方向に寸法が必要となっても、他のチェンジリテーナの配置には障害とならない。
【０００８】
このセレクターを、モータで回転させることで、従来のような水平方向にスライドさせるピストン等を配置することによる装置の横方向の寸法の拡大が、本発明によって避けられる。
また、ピアスパンチを一つのリテーナ本体に配置して、ピアスパンチを狭いピッチに配置することができる。
【発明を実施するための最良の形態】
【０００９】
本発明に係るチェンジリテーナ１は、図１（Ａ）〜（Ｃ）に示すように、全体が直方体で鋼製のリテーナ本体２と、自動車のパネル等の被加工物に孔開け等の加工をするピアスパンチ３と、当該ピアスパンチ３を少なくとも孔加工させるために下方向へ前進させるとともに孔加工させないように前記ピアスパンチ３が上方向へ後退するのを許容するセレクター４と、該セレクター４を後退させる方向に常に付勢する弾性手段であるコイルスプリング５と、前記リテーナ本体２に固設され前記セレクター４を回転駆動させるモータ６とからおおむね構成されている。
【００１０】
前記ピアスパンチ３と前記セレクター４とがリテーナ本体２に支持され、前記セレクター４は前記リテーナ本体２に回転自在に支持された円筒体である。ピアスパンチ３は、上下方向に沿って配設され、セレクター４はそれに直交する前後方向に軸心を配置して回転自在に配設される。
【００１１】
前記セレクター４は、高圧空気が供給されて、正転・逆転で回転するエアーモータであるモータ６の回転軸６ａに固着されている。このセレクター４は、例えば鋼製の円筒体であり、その胴部は、図２に示すように、円形状の形から略三日月状にカットされて、略半円に近い形状になっている。
【００１２】
これにより、円筒体の中心４ｂからの距離において、半径ｒの外周部分４ａと、カットされた平坦部分４ｃとの距離ａとの２種類が用意される。そして、セレクター４の９０°の正・逆回転により、前記半径ｒと距離ａとが入れ替わることになる。
【００１３】
このセレクター４の外周面に、コイルスプリング５に付勢されて摺接しているピアスパンチ３の頭部３ａの上端面の位置が、上下方向で上死点と下死点との間を移動する。このピアスパンチ３のストロークが図中に示すＳ部分となる。
このストロークＳにより、ピアスパンチ３の先端部（下部）が下位置にあると、被加工物に孔を開けることになる。また、上位置にあると被加工物に孔を開けることがない。
【００１４】
前記コイルスプリング５は、図１乃至図２では、リテーナ本体２側の弾性手段用の収納孔をピアスパンチ３の周囲に複数箇所に設けて、そこに収納されているが、これに限らず、大きな収納孔を１つ用意して、そこに大径のコイルスプリングを１個収納するようにしても良く、設計的事項である。
【００１５】
このようなチェンジリテーナ１であることで、この装置の前後方向の長さＴは、セレクター４が円筒体であって、前後方向にスライドするものではないことから、リテーナ本体２の長さが従来よりも短くなり、また、モータ６も小型であるので、前後方向の合計寸法の長さＴを従来よりも短くすることができる。よって、上金型の下面に取り付けて孔パターンに応じて多数個のチャンジリテーナ１を配置する際の、設計自由度が増すことになる。
【００１６】
次に、他の第２実施例として、リテーナ本体２にピアスパンチ３が複数個配設されるチェンジリテーナ１ａを説明する。図３乃至図５に示すように、セレクター４には、ピアスパンチ３が２本狭いピッチｂ（図５（Ｂ）参照）にして設けられている。セレクター４が円筒体であるので、従来のスライダー方式では不可能であったことが、容易に設計することができる。
【００１７】
前記複数個のピアスパンチ３を、孔開けのため前進させ、孔開けしないように後退させるセレクター４は、図４および図６に示すように、セレクト部（半径ｒの外周部分４ａと、平坦部分４ｃ）が、前記ピアスパンチ３に対応する箇所に設けられている。
【００１８】
これにより、モータ６の９０°の正回転と、その逆回転により、複数個のピアスパンチ３が、交互に前進と後退を繰り返すことになる。こうして、一つのリテーナ本体２に、狭いピッチｂにして複数のピアスパンチ３を設けることができる。よって、孔開けパターンの複雑化、高密度化にも対応できるものとなる。
【００１９】
更に、図７（Ａ），（Ｂ）に示すように、他の第３実施例に係るチェンジリテーナ１ｂとして、リテーナ本体２にピアスパンチ３を複数本、例えば、２本備えるとともに、セレクター４のセレクト部を前記２本のピアスパンチ３に対応して設けるが、この場合に、孔開け用に前進，後退の移動を同期させて、被加工物に同時に２つの孔が開くようにしたり、両方ともに孔が開かないようにしたりするものである。セレクター４の平坦部分４ｃを、前記２本のピアスパンチ３の頭部３ａに同時に当接するように形成する。こうすれば、例えば、２つの孔が狭いピッチｂで被加工物に開けられることになる。
【図面の簡単な説明】
【００２０】
【図１】本発明に係るチェンジリテーナ１の平面図（Ａ）、側面図（Ｂ）、一部を半断面にして示す正面図（Ｃ）である。
【図２】同本発明のチェンジリテーナ１の縦断面図である。
【図３】他の実施例にかかるチェンジリテーナ１ａの斜視図である。
【図４】同チェンジリテーナ１ａにおいて、リテーナ本体２を除いた斜視図である。
【図５】同チェンジリテーナ１ａの平面図（Ａ）、正面図（Ｂ）底面図（Ｃ）である。
【図６】図５（Ａ）におけるＢ−Ｂ線に沿った断面図（Ａ）、同Ａ−Ａ線に沿った断面図（Ｂ）である。
【図７】他の実施例のチェンジリテーナ１ｂのリテーナ本体を除いた斜視図（Ａ）、正面図（Ｂ）である。
【符号の説明】
【００２１】
１，１ａ，１ｂ  チェンジリテーナ、
２              リテーナ本体、
３              ピアスパンチ、
４              セレクター、            ４ａ    半径ｒの外周部分、
４ｃ            平坦部分、
５              弾性手段、
６              モータ。
【図１】
2007144482.tif 000003
【図２】
2007144482.tif 000004
【図３】
2007144482.tif 000005
【図４】
2007144482.tif 000006
【図５】
2007144482.tif 000007
【図６】
2007144482.tif 000008
【図７】
2007144482.tif 000009